(57)【要約】【課題】複数の異なるＰＯＮシステムが同一ＯＤＮ中で稼働する場合に適用することが可能な長距離ボックス及び長距離ボックスのアップリンク／ダウンリンク光に対する処理方法を提供すること。【解決手段】本発明に係る処理方法は、異なるＰＯＮシステムからのアップリンク／ダウンリンク光をシャントし、異なるＰＯＮシステムからのアップリンク／ダウンリンク光は異なる光チャネルを介して伝送され、異なるＰＯＮシステムからのアップリンク／ダウンリンク光は異なる光チャネルにおいて、対応する長距離増幅ボックスの処理を介して、各自のシステムのＯＬＴ／ＯＮＵに出力される。【選択図】図３
2013529001.tif 000002
【特許請求の範囲】
【請求項１】
異なるパッシブ光ネットワーク（ＰＯＮ：Ｐａｓｓｉｖｅ  Ｏｐｔｉｃａｌ  Ｎｅｔｗｏｒｋｓ）システムが共存するＰＯＮシステムに用いられる長距離ボックスであって、
前記長距離ボックスは、長距離増幅ボックスと波長分割多重フィルターとを含み、
前記異なるＰＯＮシステムが共存するＰＯＮシステムは、第１のＰＯＮシステムと第２のＰＯＮシステムを含み、
前記長距離増幅ボックスは、自身が属する光チャネルを通過するＰＯＮシステムからのアップリンク／ダウンリンク光を処理し、第１の光チャネルに属する第１の長距離増幅ボックスと第２の光チャネルに属する第２の長距離増幅ボックスを含み、
前記波長分割多重フィルターは、第１の波長分割多重フィルターと第２の波長分割多重フィルターを含み、
第１波長分割多重フィルターは、異なるＰＯＮシステムからのダウンリンク光をシャントし、アップリンク光を結合し、前記第１のＰＯＮシステムからのアップリンク／ダウンリンク光は第１の光チャネルを介して伝送され、第１の長距離増幅ボックスによって増幅され、前記第２のＰＯＮシステムからのアップリンク／ダウンリンク光は第２のチャネルを介して伝送され、第２の長距離増幅ボックスによって増幅され、同時に、第１の光チャネルと第２の光チャネルとによって伝送されたアップリンク光は第１の波長多重フィルターを介してトランク光ファイバーに結合され、
第２の波長分割多重フィルターは、異なるＰＯＮシステムからのアップリンク光をシャントし、ダウンリンク光を結合し、前記第１のＰＯＮシステムからのアップリンク／ダウンリンク光は第１の光チャネルを介して伝送され、第１の長距離増幅ボックスによって増幅され、前記第２のＰＯＮシステムからのアップリンク／ダウンリンク光は第２のチャネルを介して伝送され、第２の長距離増幅ボックスによって増幅され、同時に、第１の光チャネルと第２の光チャネルとによって伝送されたダウンリンク光は第２の波長分割多重フィルターを介してトランク光ファイバーに結合される
ことを特徴とする長距離ボックス。
【請求項２】
前記波長分割多重フィルターは、デュアルウィンドウ・フィルタープレートから構成され、Ｒインターフェース、Ｐインターフェース及びＣインターフェースを含み、前記第１のＰＯＮシステムからのアップリンク／ダウンリンク光を全て反射し、Ｒインターフェースを介して入力／出力し、同時に、前記第２のＰＯＮシステムからのアップリンク／ダウンリンク光を全て透過し、Ｐインターフェースを介して入力／出力し、Ｃインターフェースはトランク光ファイバーに接続され、
前記第１の波長分割多重フィルターのＣインターフェースは光回線端末（ＯＬＴ：Ｏｐｔｉｃａｌ  Ｌｉｎｅ  Ｔｅｒｍｉｎａｌ）側のトランク光ファイバーに接続され、Ｒインターフェースは前記第１の光チャネルにおける第１の長距離増幅ボックスの一端に接続され、Ｐインターフェースは前記第２の光チャネルにおける第２の長距離増幅ボックスの一端に接続され、前記第２の波長分割多重フィルターのＣインターフェースは光ネットワークユニット（ＯＮＵ：Ｏｐｔｉｃａｌ  Ｎｅｔｗｏｒｋ  Ｕｎｉｔ）側のトランク光ファイバーに接続され、Ｒインターフェースは前記第１の光チャネルにおける第１の長距離増幅ボックスの別の一端に接続され、Ｐインターフェースは前記第２の光チャネルにおける第２の長距離増幅ボックスの別の一端に接続される
ことを特徴とする請求項１に記載の長距離ボックス。
【請求項３】
前記第１のＰＯＮシステムからのダウンリンク光は、前記第１のＰＯＮシステムのＯＬＴによって送信され、トランク光ファイバーを経由して前記第１の波長分割多重フィルターのＣインターフェースに到達し、その後、前記第１の波長分割多重フィルターのＲインターフェースから前記第１の光チャネルに出力され、そして前記第１のＰＯＮシステムに対応する第１の長距離増幅ボックスを経由して第２の波長分割多重フィルターのＲインターフェースに出力され、その後、前記第２の波長分割多重フィルターのＣインターフェースからトランク光ファイバーに出力され、最後に光スプリッタ及びフィーダー光ファイバーを経由してＯＮＵに到達し、
前記第１のＰＯＮシステムからのアップリンク光は、前記第１のＰＯＮシステムのＯＮＵによって送信され、フィーダー光ファイバー及び光スプリッタを経由して前記第２の波長分割多重フィルターのＣインターフェースに到達し、その後、前記第２の波長分割多重フィルターのＲインターフェースから前記第１の光チャネルに出力され、そして前記第１のＰＯＮシステムに対応する第１の長距離増幅ボックスを経由して第１の波長分割多重フィルターのＲインターフェースに出力され、前記第１の波長分割多重フィルターのＣインターフェースからトランク光ファイバーに出力され、最後に前記第１のＰＯＮシステムのＯＬＴに伝送され、
前記第２のＰＯＮシステムからのダウンリンク光は、前記第２のＰＯＮシステムのＯＬＴによって送信され、トランク光ファイバーを経由して前記第１の波長分割多重フィルターのＣインターフェースに到達し、その後、前記第１の波長分割多重フィルターのＰインターフェースから前記第２の光チャネルに出力され、そして前記第２のＰＯＮシステムに対応する第２の長距離増幅ボックスを経由して第２の波長分割多重フィルターのＰインターフェースに出力され、前記第２の波長分割多重フィルターのＣインターフェースからトランク光ファイバーに出力され、最後に光スプリッタ及びフィーダー光ファイバーを経由してＯＮＵに到達し、
前記第２のＰＯＮシステムからのアップリンク光は、前記第２のＰＯＮシステムのＯＮＵによって送信され、フィーダー光ファイバー及び光スプリッタを経由して前記第２の波長分割多重フィルターのＣインターフェースに到達し、その後、前記第２の波長分割多重フィルターのＰインターフェースから前記第２の光チャネルに出力され、そして前記第２のＰＯＮシステムに対応する第２の長距離増幅ボックスを経由して第１の波長分割多重フィルターのＰインターフェースに出力され、前記第１の波長分割多重フィルターのＣインターフェースからトランク光ファイバーに出力され、最後に前記第１のＰＯＮシステムのＯＬＴに伝送される
ことを特徴とする請求項２に記載の長距離ボックス。
【請求項４】
前記長距離増幅ボックスは、属するＰＯＮシステムのアップリンク／ダウンリンク光−電気−光（ＯＥＯ：Ｏｐｔｉｃａｌ−Ｅｌｅｃｔｒｉｃａｌ−Ｏｐｔｉｃａｌ）ボックス、アップリンク／ダウンリンク光増幅（ＯＡ：Ｏｐｔｉｃａｌ  Ａｍｐｌｉｆｉｃａｔｉｏｎ）ボックス又はアップリンク／ダウンリンクＯＥＯボックスとＯＡボックス及び対応するライトガイドデバイスの組み合わせから構成されている
ことを特徴とする請求項１〜３のいずれか１項に記載の長距離ボックス。
【請求項５】
前記第１のＰＯＮシステムは、Ｇ−ＰＯＮ（Ｇｉｇａｂｉｔ  ＰＯＮ）システムであり、前記第２のＰＯＮシステムは、１０Ｇ−ＰＯＮ（ｔｅｎ−Ｇｉｇａｂｉｔ  ＰＯＮ）システムである
ことを特徴とする請求項４に記載の長距離ボックス。
【請求項６】
長距離ボックスのアップリンク／ダウンリンク光に対する処理方法であって、
異なるＰＯＮシステムからのアップリンク／ダウンリンク光をシャントし、異なるＰＯＮシステムからのアップリンク／ダウンリンク光は異なる光チャネルを介して伝送され、
異なるＰＯＮシステムからのアップリンク／ダウンリンク光は異なる光チャネルにおいて、対応する長距離増幅ボックスの処理を介して、各自のシステムのＯＬＴ／ＯＮＵに出力される
ことを特徴とする処理方法。
【請求項７】
前記異なるＰＯＮシステムが共存するＰＯＮシステムは、第１のＰＯＮシステムと第２のＰＯＮシステムを含み、
前記第１のＰＯＮシステムからのダウンリンク光は、前記第１のＰＯＮシステムのＯＬＴによって送信され、トランク光ファイバーを経由して前記第１の波長分割多重フィルターのＣインターフェースに到達し、その後、前記第１の波長分割多重フィルターのＲインターフェースから前記第１の光チャネルに出力され、そして前記第１のＰＯＮシステムに対応する第１の長距離増幅ボックスを経由して第２の波長分割多重フィルターのＲインターフェースに出力され、その後、前記第２の波長分割多重フィルターのＣインターフェースからトランク光ファイバーに出力され、最後に光スプリッタ及びフィーダー光ファイバーを経由してＯＮＵに到達し、
前記第１のＰＯＮシステムからのアップリンク光は、前記第１のＰＯＮシステムのＯＮＵによって送信され、フィーダー光ファイバー及び光スプリッタを経由して前記第２の波長分割多重フィルターのＣインターフェースに到達し、その後、前記第２の波長分割多重フィルターのＲインターフェースから前記第１の光チャネルに出力され、そして前記第１のＰＯＮシステムに対応する第１の長距離増幅ボックスを経由して第１の波長分割多重フィルターのＲインターフェースに出力され、前記第１の波長分割多重フィルターのＣインターフェースからトランク光ファイバーに出力され、最後に前記第１のＰＯＮシステムのＯＬＴに伝送され、
前記第２のＰＯＮシステムからのダウンリンク光は、前記第２のＰＯＮシステムのＯＬＴによって送信され、トランク光ファイバーを経由して前記第１の波長分割多重フィルターのＣインターフェースに到達し、その後、前記第１の波長分割多重フィルターのＰインターフェースから前記第２の光チャネルに出力され、そして前記第２のＰＯＮシステムに対応する第２の長距離増幅ボックスを経由して第２の波長分割多重フィルターのＰインターフェースに出力され、前記第２の波長分割多重フィルターのＣインターフェースからトランク光ファイバーに出力され、最後に光スプリッタ及びフィーダー光ファイバーを経由して、ＯＮＵに到達し、
前記第２のＰＯＮシステムからのアップリンク光は、前記第２のＰＯＮシステムのＯＮＵによって送信され、フィーダー光ファイバー及び光スプリッタを経由して前記第２の波長分割多重フィルターのＣインターフェースに到達し、その後、前記第２の波長分割多重フィルターのＰインターフェースから前記第２の光チャネルに出力され、そして前記第２のＰＯＮシステムに対応する第２の長距離増幅ボックスを経由して第１の波長分割多重フィルターのＰインターフェースに出力され、前記第１の波長分割多重フィルターのＣインターフェースからトランク光ファイバーに出力され、最後に前記第１のＰＯＮシステムのＯＬＴに伝送される
ことを特徴とする請求項６に記載の長距離ボックスのアップリンク／ダウンリンク光に対する処理方法。
【発明の詳細な説明】
【技術分野】
【０００１】
本発明は光ネットワーク分野に関するパッシブ光ネットワーク（ＰＯＮ：Ｐａｓｓｉｖｅ  Ｏｐｔｉｃａｌ  Ｎｅｔｗｏｒｋ）システムに関し、特に、長距離ボックス及び長距離ボックスのアップリンク／ダウンリンク光に対する処理方法に関する。
【背景技術】
【０００２】
有線ブロードバンドアクセス技術の急速な発展と低コスト要求により、従来の銅線（有線）に代わって光ファイバーを用いるシステムが徐々に発達してきている。最も広範であり、最も高速であり、最も環境にやさしいというＰＯＮの特性、並びに、フラット化された単純なネットワーク構造を有しており、また、長距離のネットワーク構築に適応しており、かつ、投資コストを低減することができる等の利点を有する長距離ＰＯＮの特性に応じて、ＰＯＮは、システムの発達と同時に、事業者の大部分に導入され、設置が開始されている。これにより、日に々に増加する通信利用者を満足させることができ、ユーザからのより速くより良いサービスに対する要求を満足させることができる。
【０００３】
長距離ＰＯＮは、ポイントツーマルチポイントの光ファイバーアクセス技術である。図１は従来の技術における長距離ＰＯＮの構成を示す図である。図１に示すように、長距離ＰＯＮは、光回線端末（ＯＬＴ：Ｏｐｔｉｃａｌ  Ｌｉｎｅ  Ｔｅｒｍｉｎａｌ）、光ネットワークユニット（ＯＮＵ：Ｏｐｔｉｃａｌ  Ｎｅｔｗｏｒｋ  Ｕｎｉｔ）及び光配信ネットワーク（ＯＤＮ：Ｏｐｔｉｃａｌ  Ｄｉｓｔｒｉｂｕｔｉｏｎ  Ｎｅｔｗｏｒｋ）を含む。通常、１つのＯＬＴが長距離光延長ボックス（長距離ボックスとも称される）及び光パワー分離器（光スプリッタと略称）を介して複数のＯＮＵに接続され、ポイントツーマルチポイント構造を構成する。
【０００４】
投資コストの削減及びＯＤＮの多重化のために、複数のＰＯＮシステムが１つのＯＤＮを共用するシステム（以下、共存するＰＯＮシステム）がある。図２は、共存する長距離ＰＯＮ構造を示す図である。図２に示すように、例えば、Ｇ−ＰＯＮ（Ｇｉｇａｂｉｔ  ＰＯＮとＸＧ−ＰＯＮ（ｔｅｎ−Ｇｉｇａｂｉｔ  ＰＯＮ）の２種類のＰＯＮが共存するＰＯＮシステムようなＰＯＮが異なるシステム（以下、異なるＰＯＮシステム）では、一般的に異なるアップリング波長及びダウンリンク波長を有する。
【０００５】
ここで、Ｇ−ＰＯＮのダウンリンク波長は１４８０ｎｍ〜１５００ｎｍ、アップリンク波長は１２９０ｎｍ〜１３３０ｎｍであるが、ＸＧ−ＰＯＮのダウンリンク波長は１５７５ｎｍ〜１５８０ｎｍ、アップリンク波長は１２６０ｎｍ〜１２８０ｎｍである。このため、この２つのＰＯＮシステムはＷＤＭ１ｒ波長分割多重フィルターを介して１つのＯＤＮを共用できる。
【０００６】
図２に示すように、従来の技術における長距離ボックスは、主に単一のＰＯＮシステムに対して設計されたものであり、複数のＰＯＮが共存するシステムに対して、単一のＰＯＮシステムのための長距離ボックスは利用することができない。このため、当該要求を満たすには統合的な長距離ボックスが必要である。
【発明の概要】
【発明が解決しようとする課題】
【０００７】
これを鑑みて、本発明の主な目的は、複数の異なるＰＯＮシステムが同一ＯＤＮ中で稼働する場合に適用することが可能な長距離ボックス及び長距離ボックスのアップリンク／ダウンリンク光に対する処理方法を提供することにある。
【課題を解決するための手段】
【０００８】
上記目的を実現するために、本発明の技術的スキームは以下のように実現される。
異なるパッシブ光ネットワーク（ＰＯＮ）システムが共存するＰＯＮシステムに用いられる長距離ボックスであって、
長距離増幅ボックスと波長分割多重フィルターとを含む。
前記異なるＰＯＮシステムが共存するＰＯＮシステムは、第１のＰＯＮシステムと第２のＰＯＮシステムを含む。
前記長距離増幅ボックスは、自身が属する光チャネルを通過するＰＯＮシステムからのアップリンク／ダウンリンク光を処理し、第１の光チャネルに属する第１の長距離増幅ボックスと第２の光チャネルに属する第２長距離増幅ボックスを含む。
前記波長分割多重フィルターは、第１の波長分割多重フィルターと第２の波長分割多重フィルターを含む。
第１波長分割多重フィルターは、異なるＰＯＮシステムからのダウンリンク光をシャントし、アップリンク光を結合し、前記第１のＰＯＮシステムからのアップリンク／ダウンリンク光は第１の光チャネルを介して伝送され、第１の長距離増幅ボックスによって増幅され、前記第２のＰＯＮシステムからのアップリンク／ダウンリンク光は第２のチャネルを介して伝送され、第２の長距離増幅ボックスによって増幅され、同時に、第１の光チャネルと第２の光チャネルとによって伝送されたアップリンク光は第１の波長多重フィルターを介してトランク光ファイバーに結合され、
第２の波長分割多重フィルターは、異なるＰＯＮシステムからのアップリンク光をシャントし、ダウンリンク光を結合し、前記第１のＰＯＮシステムからのアップリンク／ダウンリンク光は第１の光チャネルを介して伝送され、第１の長距離増幅ボックスによって増幅され、前記第２のＰＯＮシステムからのアップリンク／ダウンリンク光は第２のチャネルを介して伝送され、第２の長距離増幅ボックスによって増幅され、同時に、第１の光チャネルと第２の光チャネルとによって伝送されたダウンリンク光は第２の波長分割多重フィルターを介してトランク光ファイバーに結合される。
【０００９】
前記波長分割多重フィルターは、デュアルウィンドウ・フィルタープレートから構成され、Ｒインターフェース、Ｐインターフェース及びＣインターフェースを含み、前記第１のＰＯＮシステムからのアップリンク／ダウンリンク光を全て反射し、Ｒインターフェースを介して入力／出力し、同時に、前記第２のＰＯＮシステムからのアップリンク／ダウンリンク光を全て透過し、Ｐインターフェースを介して入力／出力し、Ｃインターフェースはトランク光ファイバーに接続され、
前記第１の波長分割多重フィルターのＣインターフェースは光回線端末（ＯＬＴ）側のトランク光ファイバーに接続され、Ｒインターフェースは前記第１の光チャネルにおける第１の長距離増幅ボックスの一端に接続され、Ｐインターフェースは前記第２の光チャネルにおける第２の長距離増幅ボックスの一端に接続され、前記第２の波長分割多重フィルターのＣインターフェースは光ネットワークユニット（ＯＮＵ）側のトランク光ファイバーに接続され、Ｒインターフェースは前記第１の光チャネルにおける第１の長距離増幅ボックスの別の一端に接続され、Ｐインターフェースは前記第２の光チャネルにおける第２の長距離増幅ボックスの別の一端に接続される。
【００１０】
前記第１のＰＯＮシステムからのダウンリンク光は、前記第１のＰＯＮシステムのＯＬＴによって送信され、トランク光ファイバーを経由して前記第１の波長分割多重フィルターのＣインターフェースに到達し、その後、前記第１の波長分割多重フィルターのＲインターフェースから前記第１の光チャネルに出力され、そして前記第１のＰＯＮシステムに対応する第１の長距離増幅ボックスを経由して第２の波長分割多重フィルターのＲインターフェースに出力され、その後、前記第２の波長分割多重フィルターのＣインターフェースからトランク光ファイバーに出力され、最後に光スプリッタ及びフィーダー光ファイバーを経由してＯＮＵに到達する。
前記第１のＰＯＮシステムからのアップリンク光は、前記第１のＰＯＮシステムのＯＮＵによって送信され、フィーダー光ファイバー及び光スプリッタを経由して前記第２の波長分割多重フィルターのＣインターフェースに到達し、その後、前記第２の波長分割多重フィルターのＲインターフェースから前記第１の光チャネルに出力され、そして前記第１のＰＯＮシステムに対応する第１の長距離増幅ボックスを経由して第１の波長分割多重フィルターのＲインターフェースに出力され、前記第１の波長分割多重フィルターのＣインターフェースからトランク光ファイバーに出力され、最後に前記第１のＰＯＮシステムのＯＬＴに伝送される。
前記第２のＰＯＮシステムからのダウンリンク光は、前記第２のＰＯＮシステムのＯＬＴによって送信され、トランク光ファイバーを経由して前記第１の波長分割多重フィルターのＣインターフェースに到達し、その後、前記第１の波長分割多重フィルターのＰインターフェースから前記第２の光チャネルに出力され、そして前記第２のＰＯＮシステムに対応する第２の長距離増幅ボックスを経由して第２の波長分割多重フィルターのＰインターフェースに出力され、前記第２の波長分割多重フィルターのＣインターフェースからトランク光ファイバーに出力され、最後に光スプリッタ及びフィーダー光ファイバーを経由してＯＮＵに到達する。
前記第２のＰＯＮシステムからのアップリンク光は、前記第２のＰＯＮシステムのＯＮＵによって送信され、フィーダー光ファイバー、光スプリッタを経由して前記第２の波長分割多重フィルターのＣインターフェースに到達し、その後、前記第２の波長分割多重フィルターのＰインターフェースから前記第２の光チャネルに出力され、そして前記第２のＰＯＮシステムに対応する第２の長距離増幅ボックスを経由して第１の波長分割多重フィルターのＰインターフェースに出力され、前記第１の波長分割多重フィルターのＣインターフェースからトランク光ファイバーに出力され、最後に前記第１のＰＯＮシステムのＯＬＴに伝送される。
【００１１】
前記長距離増幅ボックスは、属するＰＯＮシステムのアップリンク／ダウンリンク光−電気−光（ＯＥＯ）ボックス、アップリンク／ダウンリンク光増幅（ＯＡ）ボックス又はアップリンク／ダウンリンクＯＥＯボックスとＯＡボックス及び対応するライトガイドデバイス組み合わせからの構成されている。
【００１２】
前記第１のＰＯＮシステムは、Ｇ−ＰＯＮシステムであり、前記第２のＰＯＮシステムは、１０Ｇ−ＰＯＮシステムである。
【００１３】
長距離ボックスのアップリンク／ダウンリンク光に対する処理方法であって、
異なるＰＯＮシステムからのアップリンク／ダウンリンク光をシャントし、異なるＰＯＮシステムからのアップリンク／ダウンリンク光は異なる光チャネルを介して伝送され、
異なるＰＯＮシステムからのアップリンク／ダウンリンク光は異なる光チャネルにおいて、対応する長距離増幅ボックスの処理を介して、各自のシステムのＯＬＴ／ＯＮＵに出力される。
【００１４】
前記異なるＰＯＮシステムが共存するＰＯＮシステムは、第１のＰＯＮシステムと第２のＰＯＮシステムを含み、
前記第１のＰＯＮシステムからのダウンリンク光は、前記第１のＰＯＮシステムのＯＬＴによって送信され、トランク光ファイバーを経由して前記第１の波長分割多重フィルターのＣインターフェースに到達し、その後、前記第１の波長分割多重フィルターのＲインターフェースから前記第１の光チャネルに出力され、そして前記第１のＰＯＮシステムに対応する第１の長距離増幅ボックスを経由して第２の波長分割多重フィルターのＲインターフェースに出力され、その後、前記第２の波長分割多重フィルターのＣインターフェースからトランク光ファイバーに出力され、最後に光スプリッタ及びフィーダー光ファイバーを経由してＯＮＵに到達し、
前記第１のＰＯＮシステムからのアップリンク光は、前記第１のＰＯＮシステムのＯＮＵによって送信され、フィーダー光ファイバー及び光スプリッタを経由して前記第２の波長分割多重フィルターのＣインターフェースに到達し、その後、前記第２の波長分割多重フィルターのＲインターフェースから前記第１の光チャネルに出力され、そして前記第１のＰＯＮシステムに対応する第１の長距離増幅ボックスを経由して第１の波長分割多重フィルターのＲインターフェースに出力され、前記第１の波長分割多重フィルターのＣインターフェースからトランク光ファイバーに出力され、最後に前記第１のＰＯＮシステムのＯＬＴに伝送され、
前記第２のＰＯＮシステムのダウンリンク光は、前記第２のＰＯＮシステムのＯＬＴによって送信され、トランク光ファイバーを経由して前記第１の波長分割多重フィルターのＣインターフェースに到達し、その後、前記第１の波長分割多重フィルターのＰインターフェースから前記第２の光チャネルに出力され、そして前記第２のＰＯＮシステムに対応する第２の長距離増幅ボックスを経由して第２の波長分割多重フィルターのＰインターフェースに出力され、前記第２の波長分割多重フィルターのＣインターフェースからトランク光ファイバーに出力され、最後に、光スプリッタ及びフィーダー光ファイバーを経由してＯＮＵに到達し、
前記第２のＰＯＮシステムからのアップリンク光は、前記第２のＰＯＮシステムのＯＮＵによって送信され、フィーダー光ファイバー及び光スプリッタを経由して前記第２の波長分割多重フィルターのＣインターフェースに到達し、その後、前記第２の波長分割多重フィルターのＰインターフェースから前記第２の光チャネルに出力され、そして前記第２のＰＯＮシステムに対応する第２の長距離増幅ボックスを経由して第１の波長分割多重フィルターのＰインターフェースに出力され、前記第１の波長分割多重フィルターのＣインターフェースからトランク光ファイバーに出力され、最後に前記第１のＰＯＮシステムのＯＬＴに伝送される。
【００１５】
上記本発明によって提供される技術的スキームから理解されるように、異なるＰＯＮシステムからのアップリンク／ダウンリンク光（アップリンク光とダウンリンク光）はシャントされ、異なるＰＯＮシステムからのアップリンク／ダウンリンク光は異なる光チャネルを介して伝送され、異なるＰＯＮシステムからのアップリンク／ダウンリンク光は異なる光チャネルにおいて、対応する長距離増幅ボックスの処理を介して、各自のシステムのＯＬＴ／ＯＮＵに出力される。
【００１６】
本発明に係る方法は、異なるＰＯＮシステムからのアップリンク／ダウンリンク光を異なる光チャネルにシャントし、異なるチャネルにおいて、シャントされたＰＯＮシステムに対応する長距離増幅ボックスを設置する。これにより、事業者のために、複数のＰＯＮシステムが共存する場合の長距離問題を解決するための簡単で確実な解決案が提供される。更に、本発明は複数の従来の単一のＰＯＮシステムの長距離増幅ボックスを有機的に組み合わせるため、システムの変更が最も小さく、信頼性が最も高い。従って、事業者のために時間とコストが節約される。
【図面の簡単な説明】
【００１７】
【図１】従来の技術における長距離パッシブ光ネットワークの構成を示す図である。
【図２】共存する長距離ＰＯＮの構成を示す図である。
【図３】本発明に係る長距離ボックスの構成を示す図である。
【図４】本発明に係る波長分割多重フィルターのインターフェースを示す図である。
【図５】本発明に係る長距離ボックスを利用するアップリンク／ダウンリンク光に対する処理方法のフローチャートである。
【発明を実施するための形態】
【００１８】
本発明の基本的な着想は、異なるＰＯＮシステムからのアップリンク／ダウンリンク光（アップリンク光とダウンリンク光）をシャントし、異なるＰＯＮシステムからのアップリンク／ダウンリンク光を異なる光チャネルを介して伝送し、異なるＰＯＮシステムからのアップリンク／ダウンリンク光を異なる光チャネルにおいて、対応するシステムに属するの長距離増幅ボックスの処理を介して、各自のシステムのＯＬＴ／ＯＮＵに出力するというものある。
【００１９】
図３は、本発明に係る長距離ボックスの構成を示す図である。図３に示すように、本発明に係る長距離ボックスは、長距離増幅ボックスと、波長分割多重フィルターとを含む。
【００２０】
ここで、波長分割多重フィルターは、異なる波長によって、異なるＰＯＮシステムからのアップリンク／ダウンリンク光を異なる光チャネルにシャントし、同時に異なる光チャネルからのアップリンク／ダウンリンク光をトランク光ファイバーに結合することに用いられる。各ＰＯＮシステムには、それに対応する光チャネルがある。
【００２１】
図３に示された長距離ボックスは、２つのＰＯＮシステムが共存する例である。光チャネルは２つの光チャネルに分けられ、波長分割多重フィルターは第１の波長分割多重フィルターと第２の波長分割多重フィルターを含む。ここで、第１の波長分割多重フィルターは異なるＰＯＮシステムからのダウンリンク光をシャントし、アップリンク光を結合する。第２の波長分割多重フィルターは異なるＰＯＮシステムからのアップリンク光をシャントし、ダウンリンク光を結合する。
【００２２】
第１のＰＯＮシステムからのアップリンク／ダウンリンク光は第１の光チャネルを介して伝送され、第２のＰＯＮシステムからのアップリンク／ダウンリンク光は第２の光チャネルによって伝送される。第１の光チャネルと第２の光チャネルにおいて、第１のＰＯＮシステムと第２のＰＯＮシステムのそれぞれに対応する長距離増幅ボックスが設置される。長距離増幅ボックスは、通過するＰＯＮシステムのアップリンク／ダウンリンク光を増幅処理して出力することに用いられる。
【００２３】
具体的には、第１の波長分割多重フィルターは、異なるＰＯＮシステムからのダウンリンク光をシャントし、アップリンク光を結合する。第１のＰＯＮシステムからのアップリンク／ダウンリンク光は、第１の光チャネルを介して伝送され、第１の長距離増幅ボックスによって増幅される。第２のＰＯＮシステムからのアップリンク／ダウンリンク光は第２のチャネルを介して伝送され、第２の長距離増幅ボックスによって増幅される。同時に、第１の光チャネルと第２の光チャネルとによって伝送されたアップリンク光は第１の波長多重フィルターを介してトランク光ファイバーに結合される。
【００２４】
第２の波長分割多重フィルターは、異なるＰＯＮシステムからのアップリンク光をシャントし、ダウンリンク光を結合する。第１のＰＯＮシステムからのアップリンク／ダウンリンク光は第１の光チャネルを介して伝送され、第１の長距離増幅ボックスによって増幅される。第２のＰＯＮシステムからのアップリンク／ダウンリンク光は第２のチャネルを介して伝送され、第２の長距離増幅ボックスによって増幅される。同時に、第１の光チャネルと第２の光チャネルとによって伝送されたダウンリンク光は第２の波長分割多重フィルターを介してトランク光ファイバーに結合される。
【００２５】
図３に示した長距離ボックスは２つのＰＯＮシステムが共存する例である。第１の長距離増幅ボックスと第２の長距離増幅ボックスは、第１のＰＯＮシステムと第２のＰＯＮシステムに対応する必要がある。
【００２６】
本発明の第１の長距離増幅ボックス又は第２の長距離増幅ボックスは、従来の単一のＰＯＮシステムにおいて使用されるものと完全に一致する。これらの長距離増幅ボックスは、アップリンク／ダウンリンクが光−電気−光（ＯＥＯ：Ｏｐｔｉｃａｌ−Ｅｌｅｃｔｒｏｎｉｃ−Ｏｐｔｉｃａｌ）方式の従来の長距離ＯＥＯボックス、又は光増幅（ＯＡ：Ｏｐｔｉｃａｌ  Ａｍｐｌｉｆｉｅｒ）方式の従来の長距離ＯＡボックス、又は長距離ＯＥＯボックス、長距離ＯＡボックス及び対応するライトガイドデバイスが組み合わされた構成であってもよい。
【００２７】
ここで、長距離ＯＥＯ増幅方式は、元のＰＯＮシステムからのアップリンク／ダウンリンク光が長距離ＯＥＯボックスで停止されて電気に変換され、そのデータが新たな光モジュールより送信されたアップリンク／ダウンリンク光に加えられる。このようにして伝送による光の衰弱、光の色分散等が除去され、同等に光が増幅される。
【００２８】
本発明に係る長距離ボックスは、波長分割多重フィルターを介して、異なるＰＯＮシステムからのアップリンク／ダウンリンク光を異なる光チャネルにシャントし、異なる光チャネルにおいて、シャントされたＰＯＮシステムに対応する長距離増幅ボックスを設置する。これにより、事業者のために、複数のＰＯＮシステムが共存する場合の長距離問題を解決するための簡単で確実な解決案が提供される。
【００２９】
更に、本発明は、複数の従来の単一のＰＯＮシステム用長距離増幅ボックスを有機的に組み合わせるため、システムの変更が最も小さく、信頼性が最も高い。従って、事業者のために時間とコストが節約される。
【００３０】
なお、元の単一のＰＯＮシステム用の長距離ボックは、更に、ローカル制御装置（Ｌｏｃａｌ  Ｃｏｎｔｒｏｌｌｅｒ）と組み込み型光ネットワーク端末（ＥＯＮＴ：Ｅｍｂｅｄｄｅｄ  Ｏｐｔｉｃａｌ  Ｎｅｔｗｏｒｋ  Ｔｅｒｍｉｎａｌ）を含み、ＯＬＴがＴＡＰカプラ及びＥＯＮＴ及びローカル制御装置を介して異なる長距離増幅ボックスに対して管理と制御を行う。
【００３１】
ここで、ＥＯＮＴとローカル制御装置の実装は、当業者にとって、公知技術であるため、ここでの詳しい説明は省略する。その具体的な実現案は本発明の特許請求の範囲を限定することに用いられるものではない。
【００３２】
図４は本発明に係る波長分割多重フィルターのインターフェースを示す図である。図４に示すように、波長分割多重フィルターの設計はＰＯＮシステムの波長に依存する。例えばＧ−ＰＯＮとＸＧ−ＰＯＮが共存するＰＯＮシステムでは、波長分割多重フィルターがデュアルウィンドウ・フィルタープレートによって構成され、Ｇ−ＰＯＮからのアップリンク／ダウンリンク光を全て反射し、即ちＧ−ＰＯＮからのアップリンク／ダウンリンク光を波長分割多重フィルターのＲインターフェースのみを介して入力／出力する。同時に波長分割多重フィルターは、ＸＧ−ＰＯＮからのアップリンク／ダウンリンク光を全て透過し、即ちＸＧ−ＰＯＮからのアップリンク／ダウンリンク光を波長分割多重フィルターのＰインターフェースのみを介して入力／出力する。
【００３３】
波長分割多重フィルターのＣインターフェースはＲ’／Ｓ’にあるトランク光ファイバーに接続される。図４に示すように、第１のＰＯＮシステムと第２のＰＯＮシステムがそれぞれＧ−ＰＯＮとＸＧ−ＰＯＮである場合、Ｇ−ＰＯＮのダウンリンク波長は１４８０ｎｍ〜１５００ｎｍ、アップリンク波長は１２９０ｎｍ〜１３３０ｎｍであり、ＸＧ−ＰＯＮのダウンリンク波長は１５７５ｎｍ〜１５８０ｎｍ、アップリンク波長は１２６０ｎｍ〜１２８０ｎｍである。
【００３４】
この２つのＰＯＮシステムの共存に対して、波長分割多重フィルター１はつのデュアルウィンドウ・フィルタープレートから構成される。波長分割多重フィルターの汎用インターフェース即ちＣインターフェースはトランク光ファイバーに接続され、反射インターフェース即ちＲインターフェースは第１の光チャネルに接続され、透過インターフェース即ちＰインターフェースは第２の光チャネルに接続される。
【００３５】
以下、図３と図５に合わせ、第１のＰＯＮシステムと第２のＰＯＮシステムが共存するＰＯＮシステムを例として、本発明に係る長距離ボックスの動作原理を詳しく説明する。
【００３６】
第１のＰＯＮシステムからのダウンリンク光は、第１のＰＯＮシステムのＯＬＴによって送信され、トランク光ファイバー（ＯＬＴ側）を経由して第１の波長分割多重フィルターのＣインターフェースに到達する。その後ダウンリンク光は、第１の波長分割多重フィルターのＲインターフェースから第１の光チャネルに出力され、そして第１のＰＯＮシステムに対応する第１の長距離増幅ボックスに入る。増幅されたダウンリンク光は第２の波長分割多重フィルターのＲインターフェースに出力され、その後、第２の波長分割多重フィルターのＣインターフェースからトランク光ファイバーに出力され、最後に、光スプリッタ、フィーダー光ファイバーを経由してＯＮＵに到達する。
【００３７】
第１のＰＯＮシステムからのアップリンク光は、第１のＰＯＮシステムのＯＮＵによって送信され、フィーダー光ファイバー（ＯＮＵ側）、光スプリッタを経由して第２の波長分割多重フィルターのＣインターフェースに到達する。その後アップリンク光は、第２の波長分割多重フィルターのＲインターフェースから第１の光チャネルに出力され、そして第１のＰＯＮシステムに対応する第１の長距離増幅ボックスに入る。第１の長距離ボックスにおいて増幅されたアップリンク光は、第１の波長分割多重フィルターのＲインターフェースに出力され、第１の波長分割多重フィルターのＣインターフェースからトランク光ファイバーに出力され、最後に第１のＰＯＮシステムのＯＬＴに伝送される。
【００３８】
第２のＰＯＮシステムからのダウンリンク光は、第２のＰＯＮシステムのＯＬＴによって送信され、トランク光ファイバーを経由して第１の波長分割多重フィルターのＣインターフェースに到達する。その後ダウンリンク光は、第１の波長分割多重フィルターのＰインターフェースから第２の光チャネルに出力され、そして第２のＰＯＮシステムに対応する第２の長距離増幅ボックスに入る。第２の長距離増幅ボックスにおいて増幅されたダウンリンク光は、第２の波長分割多重フィルターのＰインターフェースに出力され、第２の波長分割多重フィルターのＣインターフェースからトランク光ファイバーに出力され、最後に、光スプリッタ、フィーダー光ファイバーを経由してＯＮＵに到達する。
【００３９】
第２のＰＯＮシステムからのアップリンク光は、第２のＰＯＮシステムのＯＮＵによって送信され、フィーダー光ファイバー、光スプリッタを経由して第２の波長分割多重フィルターのＣインターフェースに到達する。その後アップリンク光は、第２の波長分割多重フィルターのＰインターフェースから第２の光チャネルに出力され、そして前記第２のＰＯＮシステムに対応する第２の長距離増幅ボックスに入る。第２の長距離増幅ボックスにおいて増幅されたアップリンク光は、第１の波長分割多重フィルターのＰインターフェースに出力され、その後、第１の波長分割多重フィルターのＣインターフェースからトランク光ファイバーに出力され、最後に第１のＰＯＮシステムのＯＬＴに伝送される。
【００４０】
本発明は、複数の従来の長距離増幅ボックスを、波長分割多重フィルターを介して有機的に組み合わせるため、システムの変更が最も小さく、信頼性が最も高い。従って、事業者のために時間とコストが節約される。
【００４１】
図５は本発明に係る長距離ボックスを利用してアップリンク／ダウンリンク光に対する処理方法のフローチャートであり、図５に示すように、以下のステップを含む。
【００４２】
ステップ５００：異なるＰＯＮシステムからのアップリンク／ダウンリンク光（アップリンク光とダウンリンク光）をシャントし、異なるＰＯＮシステムからのアップリンク／ダウンリンク光を異なる光チャネルを介して伝送する。
【００４３】
本ステップでは、異なるＰＯＮシステムに対して、対応する長距離増幅ボックスをそれぞれ用いて処理するため、異なるＰＯＮシステムからのアップリンク／ダウンリンク光をシャントする。
【００４４】
ステップ５０１：異なるＰＯＮシステムからのアップリンク／ダウンリンク光が、異なる光チャネルにおいて、対応する長距離増幅ボックスの処理を介して各自のシステムのＯＬＴ／ＯＮＵに出力される。
【００４５】
図５に示された本発明の方法から理解されるように、異なるＰＯＮシステムからのアップリンク／ダウンリンク光を異なる光チャネルにシャントする。異なる光チャネルにおいてシャントされたＰＯＮシステムに対応する長距離増幅ボックスが設置される。これにより、事業者のために、複数のＰＯＮシステムが共存する場合の長距離問題を解決するための簡単で確実な解決案が提供される。
【００４６】
更に、本発明は、複数の従来の単一のＰＯＮシステム用長距離増幅ボックスを有機的に組み合わせるため、システムの変更が最も小さく、信頼性が最も高い。従って、事業者のために時間とコストが節約される。
【００４７】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【図１】
2013529001.tif 000003
【図２】
2013529001.tif 000004
【図３】
2013529001.tif 000005
【図４】
2013529001.tif 000006
【図５】
2013529001.tif 000007
【手続補正書】
【提出日】平成24年12月20日(2012.12.20)
【手続補正１】
【補正対象書類名】特許請求の範囲
【補正対象項目名】請求項４
【補正方法】変更
【補正の内容】
【請求項４】
前記長距離増幅ボックスは、属するＰＯＮシステムのアップリンク／ダウンリンク光−電気−光（ＯＥＯ：Ｏｐｔｉｃａｌ−Ｅｌｅｃｔｒｉｃａｌ−Ｏｐｔｉｃａｌ）ボックスであり、又はアップリンク／ダウンリンク光増幅（ＯＡ：Ｏｐｔｉｃａｌ  Ａｍｐｌｉｆｉｃａｔｉｏｎ）ボックスであり、又はアップリンク／ダウンリンクＯＥＯボックスとＯＡボックスとの組み合わせ及び対応するライトガイドデバイスから構成されているから構成されている
ことを特徴とする請求項１〜３のいずれか１項に記載の長距離ボックス。
【手続補正２】
【補正対象書類名】明細書
【補正対象項目名】００１１
【補正方法】変更
【補正の内容】
【００１１】
前記長距離増幅ボックスは、属するＰＯＮシステムのアップリンク／ダウンリンク光−電気−光（ＯＥＯ）ボックスであり、又はアップリンク／ダウンリンク光増幅（ＯＡ）ボックスであり、又はアップリンク／ダウンリンクＯＥＯボックスとＯＡボックスとの組み合わせ及び対応するライトガイドデバイスから構成されている。
【手続補正３】
【補正対象書類名】明細書
【補正対象項目名】００２６
【補正方法】変更
【補正の内容】
【００２６】
本発明の第１の長距離増幅ボックス又は第２の長距離増幅ボックスは、従来の単一のＰＯＮシステムにおいて使用されるものと完全に一致する。これらの長距離増幅ボックスは、アップリンク／ダウンリンクが光−電気−光（ＯＥＯ：Ｏｐｔｉｃａｌ−Ｅｌｅｃｔｒｏｎｉｃ−Ｏｐｔｉｃａｌ）方式の従来の長距離ＯＥＯボックスであり、又は光増幅（ＯＡ：Ｏｐｔｉｃａｌ  Ａｍｐｌｉｆｉｅｒ）方式の従来の長距離ＯＡボックスであり、又は長距離ＯＥＯボックスと長距離ＯＡボックスとの組み合わせ及び対応するライトガイドデバイスから構成されてもよい。
【手続補正書】
【提出日】平成24年12月21日(2012.12.21)
【手続補正１】
【補正対象書類名】特許請求の範囲
【補正対象項目名】請求項４
【補正方法】変更
【補正の内容】
【請求項４】
前記長距離増幅ボックスは、属するＰＯＮシステムのアップリンク／ダウンリンク光−電気−光（ＯＥＯ：Ｏｐｔｉｃａｌ−Ｅｌｅｃｔｒｉｃａｌ−Ｏｐｔｉｃａｌ）ボックスであり、又はアップリンク／ダウンリンク光増幅（ＯＡ：Ｏｐｔｉｃａｌ  Ａｍｐｌｉｆｉｃａｔｉｏｎ）ボックスであり、又はアップリンク／ダウンリンクＯＥＯボックスとＯＡボックスとの組み合わせ及び対応するライトガイドデバイスから構成されている
ことを特徴とする請求項１〜３のいずれか１項に記載の長距離ボックス。
【国際調査報告】
2013529001.tif 000008
2013529001.tif 000009
2013529001.tif 000010
2013529001.tif 000011